(57)【特許請求の範囲】
【請求項１】
複数の被加熱対象を個々に加熱する複数の加熱部と、前記複数の加熱部から所定の加熱部を選択する選択手段と、前記複数の加熱部の動作を設定する操作部と、前記操作部で設定されたそれぞれ独立した前記複数の加熱部の第１の設定状態に対応した表示をそれぞれ独立して行う第１の表示部と、前記選択手段で選択した前記所定の加熱部に対して前記操作部が設定した第２の設定状態に対応した表示を行う第２の表示部とを有し、前記第２の表示部は、前記第２の設定状態に対応した表示が複数ある際には前記複数の第２の設定状態に応じた表示を同じ領域内で切り替えて行うことができると共に、前記選択手段を単一動作の繰り返しで前記複数の加熱部から前記所定の加熱部を選択するものとし、初回の選択動作時は、前記複数の加熱部の中で動作している加熱部を優先して選択することができるようにした加熱調理器。
【請求項２】
２つ以上の加熱部が第２の設定状態で動作している際に、選択手段で選択した加熱部に対して、第２の表示部に前記選択手段で選択した加熱部の第２の設定状態に対応した表示を行うようにした請求項１に記載の加熱調理器。
【請求項３】
２つ以上の加熱部が第２の設定状態で動作している際に、その複数の第２の設定状態に対応する表示を時系列に交互に表示するようにした請求項１に記載の加熱調理器。
【発明の詳細な説明】
【０００１】
【発明の属する技術分野】
本発明は、家庭用または業務用で使用される複数の加熱部を有する加熱調理器に関するものである。
【０００２】
【従来の技術】
以下に従来の加熱調理器の動作について図面に基づいて説明する。図２は従来例の構成を示すブロック図である。
【０００３】
図２において、２１は第１の加熱部、２２は第２の加熱部、２３は第１の加熱部２１及び第２の加熱部２２の動作状態を設定するスイッチ等で構成した操作部、２４は操作部２３で設定した第１の加熱部２１及び第２の加熱部２２の動作状態をそれぞれ表示するＬＥＤやＬＣＤで構成した表示部である。
【０００４】
上記構成において、その動作を説明する。使用者が操作部２３のスイッチ等を操作することにより操作部２３は第１の加熱部２１または第２の加熱部２２に動作開始あるいは設定火力の信号を出力する。これを受けた第１の加熱部２１または第２の加熱部２２は加熱動作を開始したり、あるいは加熱動作中のものに対しては火力の設定を変える。これと同時に表示部２４は操作部２３で設定した各加熱部の設定状態に対応した表示をＬＥＤを点灯させる等して、例えば、第１の加熱部２１を加熱すると、第１の加熱部２１の動作表示用の「加熱」ＬＥＤと同時に初期の加熱火力である「弱」「中」「強」等のＬＥＤを点灯させて、表示する。
【０００５】
また、表示部２４はＬＣＤで構成された数字表示素子を各加熱部に対応して独立して有しており、操作部２３でタイマー設定された場合は、対応する加熱部のタイマー設定時間を表示部２４の対応する数字表示素子に表示する。例えば、第１の加熱部２１に対してタイマー設定を行う際は、操作部２３の第１の加熱部２１のタイマー設定キーを押すことで設定を開始し、表示部２４の第１の加熱部２１に対応した数字表示素子に、設定時間が表示される。このタイマー設定キーを押す度に設定時間を増加させて所望の設定時間を得ることができる。
【０００６】
以上のように複数の加熱部に対して、その動作状態を独立した表示要素を割り当てて個々に表示することで、タイマー等の付加機能を実現させるものであった。
【０００７】
【発明が解決しようとする課題】
しかしながら、以上のような従来の加熱調理器では、各加熱部に対してタイマー機能を持たせるためには、それぞれの加熱部に対して、独立して表示する複数の数字表示素子が存在するために高価になったり、部品配置領域の制約などにより複数の数字表示素子を搭載できないのでタイマー機能を付加できなかったり、あるいは搭載できても非常に表示面積が小さくなって視認し辛い等という課題を有していた。
【０００８】
また、上記課題を解決するために１つの数字表示素子を共用して選択した加熱部に対してのみタイマー動作を実現させる方式を用いた加熱調理器も存在するが、１つの加熱部がタイマー動作中には他の加熱部でのタイマー動作を行うことができないという課題を有していた。
【０００９】
本発明は、上記課題を解決するもので、複数の加熱部の中で、２つ以上の所望の加熱部に対して、タイマー動作等の付加機能を数字表示素子の数を増加させることなく、且つその付加機能を所望の加熱部に対して同時に実行できる使い勝手の良い、より安価な加熱調理器を提供することを目的とする。
【００１０】
【課題を解決するための手段】
上記課題を解決するために本発明は、複数の被加熱対象を個々に加熱する複数の加熱部と、前記複数の加熱部から所定の加熱部を選択する選択手段と、前記複数の加熱部の動作を設定する操作部と、前記操作部で設定されたそれぞれ独立した前記複数の加熱部の第１の設定状態に対応した表示をそれぞれ独立して行う第１の表示部と、前記選択手段で選択した前記所定の加熱部に対して前記操作部が設定した第２の設定状態に対応した表示を行う第２の表示部とを有し、前記第２の表示部は、前記第２の設定状態に対応した表示が複数ある際には前記複数の第２の設定状態に応じた表示を同じ領域内で切り替えて行うことができると共に、前記選択手段を単一動作の繰り返しで前記複数の加熱部から前記所定の加熱部を選択するものとし、初回の選択動作時は、前記複数の加熱部の中で動作している加熱部を優先して選択することができるようにしたものであり、この手段により複数の加熱部は操作部の設定によって各加熱部で単独に動作可能で、各々独立した第１の設定状態、例えば、手動調理の強・中・弱といった火力設定で別々の被加熱対象となる調理物あるいは調理物の入った容器等を同時に加熱できると共に、第１の表示部にそれぞれの第１の設定状態に対応した表示を行うことができる。
【００１１】
また、選択手段で所定の加熱部を選択し、選択された所定の加熱部に対して、操作部で設定した第２の設定状態、例えば、調理タイマー機能や自動調理機能等、に動作を切り替えると共に、第２の表示部にその第２の設定状態に応じた表示、例えば調理タイマー機能における設定時間や自動調理機能における調理メニュー等を表示することができる。更に、選択手段で既に第２の設定状態に設定された以外の加熱部を選択すると、第２の表示部は現在行っている表示を停止するので、新たに選択した加熱部に対する第２の設定状態に対応した表示を行うことができる。
【００１２】
【発明の実施の形態】
本発明の目的は、各請求項に記載した構成を実施の形態とすることにより達成することができるので、以下には各請求項の特徴とする構成に作用を併記して実施の形態の意義を理解しやすく説明することとする。
【００１３】
請求項１に記載の発明は、複数の被加熱対象を個々に加熱する複数の加熱部と、前記複数の加熱部から所定の加熱部を選択する選択手段と、前記複数の加熱部の動作を設定する操作部と、前記操作部で設定されたそれぞれ独立した前記複数の加熱部の第１の設定状態に対応した表示をそれぞれ独立して行う第１の表示部と、前記選択手段で選択した前記所定の加熱部に対して前記操作部が設定した第２の設定状態に対応した表示を行う第２の表示部とを有し、前記第２の表示部は、前記第２の設定状態に対応した表示が複数ある際には前記複数の第２の設定状態に応じた表示を同じ領域内で切り替えて行うことができると共に、前記選択手段を単一動作の繰り返しで前記複数の加熱部から前記所定の加熱部を選択するものとし、初回の選択動作時は、前記複数の加熱部の中で動作している加熱部を優先して選択することができる構成としたものであり、この構成は複数の加熱部を有しているので、調理物あるいは調理物の入った容器等の被加熱対象を個々に加熱して調理を行うことができる。
【００１４】
また、操作部を有しているので、使用者が各加熱部を加熱開始・停止あるいは加熱火力等の第１の設定状態にすることができる。そして、その第１の表示部を有しているので、各々の加熱部に対する第１の設定状態に対応した表示を独立して表示して使用者に認知させることができる。選択手段で選択した所定の加熱部に対しては、第２の設定状態にすることができるので、タイマー設定や自動調理設定といった付加的な動作に設定すると共にこの第２の設定状態に対応した表示を第２の表示部で表示して使用者に認知させることができる。更に、選択手段で第２の設定状態になっていない加熱部を選択すれば、この加熱部を第２の設定状態にして、先に表示している内容を一時停止し、第２の表示部にその第２の設定状態に対応した表示を行うことができる。これを繰り返すことで、加熱調理器が有する全ての加熱部の中で所望の加熱部全てを第２の設定状態にすると共に第２の表示部にて所望の加熱部全ての第２の設定状態に対応した表示を行い、使用者に認知させることができ、第２の表示部を１つの数字表示素子等を利用して実現可能で、第２の表示部の構成を簡素化すると共に、タイマー設定表示等の付加機能的な表示情報を一カ所に集約して第２の表示部の、操作部及び表示部全体に対する占有面積を小さくし、操作部及び表示部全体の大きさを小さくできるという作用を有する。
【００１５】
また、選択手段を単一動作の繰り返しで複数の加熱部から所定の加熱部を選択するものとし、初回の選択動作時は、前記複数の加熱部の中で動作している加熱部を優先して選択する構成としたものであり、選択手段を１つのスイッチ等で構成してこのスイッチを１回押す等の単一動作で第２の設定状態にする加熱部を順番に選択することができる。また、選択対象となり得る所望の加熱部の中で第１の選択状態にて動作している加熱部を優先して選択できるので、選択手段の単一動作の繰り返し回数を削減できる。このようにして、選択手段を構成するスイッチなどの部品点数を削減して操作部全体の大きさを小さくすると共に、単一動作である為無駄な繰り返し動作回数を削減できるという作用を有する。
【００１６】
請求項２に記載の発明は、請求項１に記載の構成とすると共に、２つ以上の加熱部が第２の設定状態で動作している際に、選択手段で選択した加熱部に対して、第２の表示部に前記選択手段で選択した加熱部の第２の設定状態に対応した表示を行う構成としたものであり、２つ以上の加熱部が第２の設定状態で動作している時に、選択手段にて選択した所望の加熱部に対する第２の設定状態に対応した表示を第２の表示部に表示するので、使用者は所望の加熱部の第２の設定状態の内容を確実に認知することができるという作用を有する。
【００１７】
請求項３に記載の発明は、請求項１に記載の構成とすると共に、２つ以上の加熱部が第２の設定状態で動作している際に、その複数の第２の設定状態に対応する表示を時系列に交互に表示を行う構成としたものであり、使用者は操作部を何ら操作することなく、第２の設定状態で動作している加熱部全ての第２の設定状態に対応した表示を時系列に交互に認知できるという作用を有する。
【００１８】
【実施例】
以下本発明の実施例を図面に基づいて説明する。図１は本発明の実施例の構成を示すブロック図である。
【００１９】
図１において、１は第１の加熱部、２は第２の加熱部、３は第１の加熱部１及び第２の加熱部２の第１及び第２の設定状態を設定すると共に選択手段３ａを備えていて、スイッチ等で構成した操作部、４は操作部３で設定した第１の加熱部１及び第２の加熱部２の第１の設定状態に対応した表示をそれぞれ独立して表示するＬＥＤやＬＣＤで構成した第１の表示部、５は選択手段３ａにて選択された加熱部に対して操作部３で設定した第２の設定状態、本実施例ではタイマー設定状態に対応した表示を行うＬＣＤ等の数字表示素子等で構成した第２の表示部である。
【００２０】
上記構成において、その動作を説明する。使用者が操作部３のスイッチ等を操作することにより操作部３は第１の加熱部１または第２の加熱部２に動作開始あるいは設定火力の信号を出力する。これを受けた第１の加熱部１または第２の加熱部２は加熱動作を開始したり、あるいは加熱動作中のものに対しては火力の設定を変える等の第１の設定状態に移行する。これと同時に第１の表示部４は操作部３で設定した各加熱部の第１の設定状態を表示している。この時、第１の表示部４はＬＥＤで構成された動作表示要素を各加熱部に対応して独立して有しているので、使用者はどの加熱部がどのような第１の設定状態で動作しているのかを容易に視認することができる。
【００２１】
例えば、第１の加熱部１の第１の設定状態を設定する場合には、図１に示す第１の操作領域６の「切／入」キー６ａ、「火力アップ」キー６ｂ、「火力ダウン」キー６ｃで、第１の加熱部１の加熱開始と停止は「切／入」キー６ａを押す毎に設定でき、加熱中に「火力アップ」キー６ｂまたは「火力ダウン」キー６ｃを押せば、第１の加熱部１の加熱火力を設定することができる。これと同時に第１の表示部４の第１の表示領域９内の加熱状態を示すＬＥＤ９ａ、火力設定状態を示すＬＥＤ９ｂに、設定されている状態を点灯・消灯によって表示する。加熱中であれば加熱状態を示すＬＥＤ９ａを点灯させ、加熱停止中であれば消灯させる。また、火力設定状態は火力設定状態を示すＬＥＤ９ｂの中の、設定されている火力、本実施例では「強」・「中」・「弱」といった火力、に対応したＬＥＤを点灯させる。同様に第２の加熱部２の第１の設定状態を設定する場合には、図１に示す第２の操作領域７の「切／入」キー７ａ、「火力アップ」キー７ｂ、「火力ダウン」キー７ｃで、第２の加熱部２の加熱開始と停止は「切／入」キー７ａを押す毎に設定でき、加熱中に「火力アップ」キー７ｂまたは「火力ダウン」キー７ｃを押せば、第２の加熱部２の加熱火力を設定することができる。これと同時に第１の表示部４の第２の表示領域１０内の加熱状態を示すＬＥＤ１０ａ、火力設定状態を示すＬＥＤ１０ｂに設定されている状態を点灯・消灯によって表示する。加熱中であれば加熱状態を示すＬＥＤ１０ａを点灯させ、加熱停止中であれば消灯させる。また、火力設定状態は火力設定状態を示すＬＥＤ１０ｂの中の、設定されている火力、本実施例では「強」・「中」・「弱」といった火力、に対応したＬＥＤを点灯させる。
【００２２】
また、タイマー設定を行う場合には、図１に示す第３の操作領域８の中の選択手段３ａの「選択」キーで所望の加熱部を選択する。この場合、「選択」キーを押す度に、選択する所望の加熱部を変更することができる。こうすることで、選択可能な加熱部の数だけスイッチを設けることなく、複数の加熱部から所望の加熱部を選択することができる。この後、第３の操作領域８の中の「分」キー８ａを押すことによってタイマー調理の時間を設定する。本実施例では「分」キー８ａを１回押す度にタイマー設定時間を１分づつ増加させている。タイマー調理をやめるときは「取消」キー８ｂを押す。これと同時に第２の表示部５の第３の表示領域１１内に配置された選択された加熱部を表す「第１」ＬＥＤ５ａまたは「第２」ＬＥＤ５ｂを点灯させ、「分」キー８ａを押す毎に数字表示素子５ｃの表示を「０」から１刻みに増加させて表示している。
【００２３】
例えば、第１の加熱部１及び第２の加熱部２が加熱中でなく、第２の加熱部２にタイマー調理をさせる場合には、まず、選択手段３ａの「選択」キーを２回押して、第２の加熱部２を選択し、次に「分」キー８ａを、所望の調理時間になるまで押して、本実施例では３回押して３分に、調理時間を設定する。その後「切／入」キー７ａを押すことによって第２の加熱部２の加熱を開始させると、第２の加熱部２は設定した調理時間になるまで加熱を継続し、設定した調理時間に到達すると自動的に加熱を停止する。これと同時に第２の表示部５は、第２の加熱部２が選択されていることを示す「第２」ＬＥＤ５ｂを点灯させ、数字表示素子５ｃは「３」を表示する。その後、「切／入」キー７ａが押されると、第１の表示部４の第２の表示領域１０の加熱状態を示すＬＥＤ１０ａを点灯させると共に、加熱火力は火力設定状態を示すＬＥＤ１０ｂの中の初期値である「強」の位置のＬＥＤを点灯させている。また、調理時間の進行と共に数字表示素子５ｃはその表示している数字を減じた値を「０」になるまで表示する。第２の加熱部２は設定された調理時間になると自動的に加熱を停止すると共に、第１の表示部４は第２の表示領域１０内のＬＥＤを消灯し、第２の表示部５も第３の表示領域１１の表示を消灯する。
【００２４】
更に、第２の加熱部２が通常加熱中に選択手段３ａの「選択」キーを１度押せばすぐに第２の加熱部２が選択された状態になり、第２の加熱部が選択されたことを示す「第２」ＬＥＤ５ｂが点灯する。このように、動作している加熱部を優先して選択できるようにすることで、使用者が選択手段３ａの「選択」キーを押す動作数を低減している。
【００２５】
第２の加熱部２がタイマー調理中で、第２の表示部５に第２の加熱部２の第２の状態、即ち第２の加熱部２が選択されていることを示す「第２」ＬＥＤ５ｂが点灯し、第２の加熱部２に設定された調理時間あるいは調理終了までの時間を数字表示素子５ｃで表示している時に、選択手段３ａの「選択」キーを１回押すと、第２の加熱部２のタイマー調理に関する表示を一旦消灯すると共に第１の加熱部１が選択されていることを示す「第１」ＬＥＤ５ａを点灯する。この時第２の加熱部２のタイマー調理動作は継続して進行している。そして、「分」キー８ａを、所望の調理時間になるまで押して、本実施例では５回押して５分に、調理時間を設定すると、数字表示素子５ｃは「５」を表示する。その後「切／入」キー６ａを押すことによって第１の加熱部１の加熱を開始させると、第１の表示部４の第１の表示領域９の加熱状態を示す「加熱」ＬＥＤ９ａを点灯させると共に、加熱火力は火力設定状態を示すＬＥＤ９ｂの中の初期値である「強」の位置のＬＥＤを点灯させる。その後第１の加熱部１は設定した調理時間になるまで加熱を継続し、調理時間の進行と共に数字表示素子５ｃはその表示している数字を減じた値を「０」になるまで表示しながら、設定した調理時間に到達すると第１の加熱部１は自動的に加熱を停止する。
【００２６】
第１の加熱部１がタイマー調理中で、且つ第２の加熱部２もタイマー調理中で、第２の加熱部２のタイマー設定状態の表示だけを停止しているので、選択手段３ａの「選択」キーを１回押すと、第２の表示部５は第１の加熱部１のタイマー調理状態を消灯して第２の加熱部２のタイマー調理状態を表示する。更に再び選択手段３ａの「選択」キーを１回押すと、第２の表示部５は第２の加熱部２のタイマー調理状態を消灯して第１の加熱部１のタイマー調理状態を表示する。このようにすることで、１つの数字表示素子で複数の加熱部のタイマー調理状態を表示できるので、使用者が、所望の加熱部の第２の設定状態を任意に視認できる。
【００２７】
また、同様に第１の加熱部１がタイマー調理中で、且つ第２の加熱部２もタイマー調理中の時は、それぞれのタイマー設定状態を所定の時間間隔で交互に表示させることも可能である。この場合は、使用者が選択手段３ａの「選択」キー等のキーを操作しなくても、１つの数字表示素子で複数の加熱部のタイマー調理状態を表示して使用者が所望の加熱部の第２の設定状態を視認できる。
【００２８】
以上のように本実施例によれば、第２の表示部５の第３の表示領域１１内に配設された、１つの数字表示素子と２つのＬＥＤで、複数の加熱部の第２の設定状態を、「選択」キーの操作等で、使用者の意図に合致させて所望の加熱部の第２の設定状態を表示したり、あるいはキー操作なしで、時系列的に交互に複数の加熱部の、複数の第２の設定状態を切り替えて表示させることができるので、全表示領域面積を増加させることなく、タイマー等の付加的機能を所望の全ての加熱部に搭載できる。
【００２９】
尚、本実施例では加熱部が２つ存在する場合について述べているが、３つ以上存在する場合でも同様の効果を得られる。また、第２の設定状態をタイマー機能としているが、自動調理機能等の、使用者の認知に支障のない範疇の付加的機能であれば何であっても同様の効果を得られる。
【００３０】
【発明の効果】
以上の説明から明らかなように、請求項１記載の発明によれば、複数の加熱部の、複数の第２の設定状態を切り替えてほぼ同じ表示領域内で表示させることができるので、全表示領域面積を増加させることなく、タイマー等の付加的機能を所望の全ての加熱部に搭載できる。
【００３１】
また、選択可能な加熱部の数のスイッチ等を設けることなく、操作部のスイッチ数並びに操作部の操作領域を増加せずに、複数の加熱部から所望の加熱部を選択できる。
【００３２】
請求項２記載の発明によれば、使用者の意図と合致した加熱部の第２の設定状態を表示できる。
【００３３】
請求項３記載の発明によれば、キー操作を行うことなく、第２の設定状態にある全ての加熱部の第２の設定状態を表示できる。
【図面の簡単な説明】
【図１】本発明の実施例の加熱調理器の構成を示すブロック図
【図２】従来の加熱調理器の構成を示すブロック図
【符号の説明】
１  第１の加熱部
２  第２の加熱部
３  操作部
３ａ  選択手段
４  第１の表示部
５  第２の表示部
６  第１の操作領域
７  第２の操作領域
８  第３の操作領域
９  第１の表示領域
１０  第２の表示領域
１１  第３の表示領域
【図１】
0004439687.tif 000002
【図２】
0004439687.tif 000003